(57)【要約】【課題】作業性と安全性の高い建具用枠体の形成方法を提供する。【解決手段】本発明の建具用枠体の形成方法は、まず、支持棒を、枠体を形成する位置の近傍に鉛直方向に配置する。つぎに、支持手段を、横枠が所定の高さに配置するように、支持棒固定部により支持棒に固定する。つぎに、支持手段における横枠載置部上に横枠を水平方向に載置し、支持手段における横枠固定部により横枠を固定する。その後、縦枠が鉛直方向に配置するように、縦枠を横枠に接合する。【選択図】図１
2012077540.tif 000002
【特許請求の範囲】
【請求項１】
鉛直方向に配置する縦枠と、該縦枠と接合し、水平方向に配置する横枠とにより構成される建具用枠体の形成方法であって、
支持棒と、該支持棒に固定する支持手段とを使用し、
該支持手段は、支持棒に固定する支持棒固定部と、横枠を載置する横枠載置部と、横枠を固定する横枠固定部とを有する枠体の形成方法であって、
前記支持棒を、枠体を形成する位置の近傍に鉛直方向に配置する工程と、
支持手段を、横枠が所定の高さに配置するように支持棒固定部により支持棒に固定する工程と、
前記支持手段における横枠載置部上に横枠を水平方向に載置する工程と、
前記支持手段における横枠固定部により横枠を固定する工程と、
縦枠が鉛直方向に配置するように、縦枠を前記横枠に接合する工程と
を備える建具用枠体の形成方法。
【請求項２】
前記支持棒は、支持棒の下端が当接する当接手段を備え、
該当接手段は、支持棒の下部が嵌合する嵌合部と、支持棒の下端が当接する可動楔とを有し、
前記可動楔は、
一方の楔面が水平に配置し、他方の楔面が前記支持棒の下端に当接し、
可動楔の峰部から、可動楔におけるテーパ部の先端に向かって前進させてから固定される請求項１に記載の建具用枠体の形成方法。
【請求項３】
前記支持棒は、内管と外管とを備える多重構造であり、前記外管は、内管の外壁を圧接して内管と外管とを固定する内管固定部材を備える請求項１または２に記載の建具用枠体の形成方法。
【請求項４】
前記内管は、内管の外壁のうち、前記内管固定部材により圧接される領域に溝部を有し、該溝部は、溝部の深さが、内管の上方に行くにつれて浅くなるようなテーパを有する請求項３に記載の建具用枠体の形成方法。
【発明の詳細な説明】
【技術分野】
【０００１】
本発明は、建具用枠体の形成方法に関するものであり、特に、作業性と安全性に優れる建具用枠体の形成方法に関する。
【背景技術】
【０００２】
家屋の開口部に設置する開閉扉には、開き戸、引き戸、折り戸等がある。これらの建具のうち、開き戸は、蝶番(ちょうつがい)を軸にして開閉するタイプであり、防音性と気密性に優れ、プライベートルームやトイレ等に使われる。また、引き戸は、扉を左右にスライドさせて開閉し、扉の前後に開閉にともなうスペースが不要なため、狭い空間でも使用することができる。一方、折り戸は、扉自体を折り畳むことによって開閉する扉であり、間口が広い等のメリットがあり、クローゼット等に多用される。
【０００３】
図２は、従来の開き戸の形成方法を模式的に示す斜視図である。開き戸を形成するときは、図２（ａ）に例示するように、縦枠２１と横枠２２とを枠組立用ビス２３で接合することにより枠体を形成する。その後、家屋の開口部の壁材（図示していない。）に枠体固定用ビス２４により枠体を固定し、縦枠２１が鉛直方向に配置し、横枠２２が水平方向に配置するように固定する。つぎに、図２（ｂ）に示すように、戸当り２９を取り付け、ハンドル２５と錠２６を付設した扉２７と枠体とを蝶番２８（扉側蝶番２８ａ、枠体側蝶番２８ｂ）により連結し、開き戸を形成する（非特許文献１参照）。
【０００４】
引き戸及び折り戸の形成方法も、開き戸の場合と同様に、最初に縦枠と横枠を接合し、枠体を形成した後、家屋の開口部の壁材に枠体を固定する。その後、引き戸の場合には、レールを付設した敷居と扉等を枠体に取り付け、折り戸の場合には、横枠にレールを設けた後、蝶番の付いた扉等を取り付ける。
【０００５】
しかし、縦枠と横枠を接合して枠体を形成する作業は、枠材を水平に倒した状態で行う場合、作業スペースを確保する必要があり、接合後、枠体を鉛直方向に立てるときに安全上及び作業上の問題が多い。一方、縦枠を鉛直方向に立てた状態で接合する場合、補助者の助けが必要となり、作業性が低いという問題がある。
【先行技術文献】
【非特許文献】
【０００６】
【非特許文献１】ＤＡＩＫＥＮ，業務用2010総合カタログ，「設計・施工資料」2009年10月発行，p.339
【発明の概要】
【発明が解決しようとする課題】
【０００７】
本発明の課題は、作業性と安全性の高い建具用枠体の形成方法を提供することにある。
【課題を解決するための手段】
【０００８】
本発明は、鉛直方向に配置する縦枠と、縦枠と接合し、水平方向に配置する横枠とにより構成される建具用枠体の形成方法であって、支持棒と、支持棒に固定する支持手段とを使用し、支持手段は、支持棒に固定する支持棒固定部と、横枠を載置する横枠載置部と、横枠を固定する横枠固定部とを有する。枠体を形成するには、支持棒を、枠体を形成する位置の近傍に鉛直方向に配置し、支持手段を、横枠が所定の高さに配置するように支持棒固定部により支持棒に固定する。つぎに、支持手段における横枠載置部上に横枠を水平方向に載置し、支持手段における横枠固定部により横枠を固定する。その後、縦枠が鉛直方向に配置するように、縦枠を横枠に接合する。
【０００９】
支持棒の好ましい態様は、支持棒の下端が当接する当接手段を備え、当接手段は、支持棒の下部が嵌合する嵌合部と、支持棒の下端が当接する可動楔とを有する。可動楔は、一方の楔面が水平に配置し、他方の楔面が支持棒の下端に当接し、可動楔の峰部から、可動楔におけるテーパ部の先端に向かって可動楔を前進させてから可動楔を固定する。また、支持棒の別の好ましい態様は、内管と外管とを備える多重構造であり、外管は、内管の外壁を圧接して内管と外管とを固定する内管固定部材を備える。内管は、内管の外壁のうち、内管固定部材により圧接される領域に溝部を有し、溝部は、溝部の深さが、内管の上方に行くにつれて浅くなるようなテーパを有する。
【発明の効果】
【００１０】
本発明の方法により形成する枠体は、縦枠が鉛直方向に配置し、横枠が水平方向に配置するため、枠体の形成後、家屋の開口部に枠体を固定するときに、枠体の移動する距離が短く、枠体の向きを変える必要がない。また、枠体の形成に際して補助者の協力も不要である。したがって、本発明の枠体の形成方法は、作業性と安全性に優れる。
【図面の簡単な説明】
【００１１】
【図１】本発明の建具用枠体の形成方法を説明する断面図である。
【図２】従来の開き戸の形成方法を模式的に示す斜視図である。
【図３】図１におけるＩＩＩ−ＩＩＩにより支持棒を切断したときの断面図である。
【発明を実施するための形態】
【００１２】
図１は、本発明の建具用枠体の形成方法を説明する断面図である。本発明の建具用枠体の形成方法では、図１に示すように、支持棒１と、支持棒１に固定する支持手段２を使用する。支持手段２は、支持手段２を支持棒１に固定する支持棒固定部２ａと、横枠２２を載置する横枠載置部２ｂと、横枠２２を固定する横枠固定部２ｃとを有する。横枠２２が短小であるような場合には、１本の支持棒と支持手段を、横枠２２の中央部に配置することにより、本発明の形成方法を実施することができる。一方、横枠２２が長大であるような場合には、２本または３本以上の支持棒と支持手段を用いる方が、施工の精度と安全性を高める点で好ましい。
【００１３】
開き戸、引き戸、折り戸等の建具に使用する枠体を形成するときは、最初に、支持棒１を、枠体を形成する位置の近傍に鉛直方向に配置する。後の工程で縦枠と横枠とを接合し、枠体を形成するが、枠体を形成する位置の近傍とは、かかる枠体を形成する位置の近くという意味である。また、縦枠と横枠とを接合し、得られた枠体は家屋の開口部にまで移動し、固定する。したがって、枠体の移動距離を減らし、作業性と安全性を高めるために、家屋の開口部における枠体を固定する位置の近くに支持棒１を配置するのが好ましい。本明細書において、鉛直方向とは、正確に鉛直方向である場合のほか、建具の施工において許容される範囲内でおよそ鉛直方向である場合が含まれ、正確に鉛直な方向を基準にして±５度以内が好ましく、±３度以内がより好ましく、±２度以内が特に好ましい。
【００１４】
つぎに、支持手段２を、横枠２２が所定の高さに配置するように、支持棒固定部２ａにより支持棒１に固定する。図１には、支持棒１が、支持手段２の中に上下移動自在に嵌入し、支持手段２における支持棒固定部２ａで支持棒１と支持手段２とを固定する例を示す。図１に示す例では、支持手段２に、貫通するネジ穴を形成し、支持棒固定部２ａである摘みネジをネジ穴に装着し、摘みネジで支持棒１の外壁を圧接することにより、支持手段２と支持棒１とを固定する。後の工程で横枠２２と縦枠とを接合し、得られた枠体を家屋の開口部に移動し、枠体を開口部に固定する。したがって、横枠２２が所定の高さに配置するようにとは、枠体の移動と固定を容易にし、安全性を高めることができる点で、開口部における横枠を形成する高さ、またはその少し上方に横枠を配置するという意味である。本発明の方法によれば、横枠の高さの微調整を容易に行うことができる。また、建具の中でも窓のように、２本以上の横枠を形成する必要があるときは、横枠の本数と高さに合わせて、複数の支持手段を支持棒に固定する。
【００１５】
つぎに、支持手段２における横枠載置部２ｂ上に横枠２２を水平方向に載置し、その後、支持手段２における横枠固定部２ｃにより横枠２２を固定する。図１には、横枠固定部２ｃが、補助部材２ｃ１と摘みネジ２ｃ２とから構成される例を示す。図１に示す例では、横枠載置部２ｂが、補助部材２ｃ１の中に移動自在に嵌入する。また、補助部材２ｃ１に、貫通するネジ穴を形成し、ネジ穴に摘みネジ２ｃ２を装着し、摘みネジ２ｃ２で横枠載置部２ｂの外壁を圧接することにより補助部材２ｃ１と横枠載置部２ｂとを固定することができる。また、同時に支持棒１と補助部材２ｃ１との間に横枠２２を圧接して横枠２２を固定することができる。
【００１６】
その後、縦枠（図１には図示していない。）が鉛直方向に配置するように、縦枠を横枠２２に接合することにより建具用枠体を形成することができる。つぎに、横枠固定部２ｃを緩めて支持棒と支持手段を取り外した後、家屋の開口部に枠体を設置する。かかる方法により形成する建具用枠体は、縦枠が鉛直方向に配置し、縦枠と接合する横枠が水平方向に配置するため、枠体形成後、枠体を設置するまでの枠体の移動距離が短く、枠体の向きを変える必要がない。また、枠体の形成に際して補助者の協力も不要である。したがって、本発明の枠体の形成方法は作業性と安全性に優れる。本明細書において、水平方向とは、正確に水平方向である場合のほか、建具の施工において許容される範囲内でおよそ水平方向である場合が含まれ、正確に水平な方向を基準にして±５度以内が好ましく、±３度以内がより好ましく、±２度以内が特に好ましい。設置する建具により、横枠には３本以上の縦枠を接合し、たとえば引き戸では方立を横枠に接合する。また、必要に応じて、敷居等の横枠を接合する。さらに、本発明の方法により、木製の枠体のほか、金属製またはプラスティック製等の枠体を形成することができる。
【００１７】
支持棒と支持手段としては、木製、金属製、プラスティック製のものを任意に使用することができる。また、亜鉛メッキ、ＡＢＳ樹脂またはナイロン等でコーティングしたものやステンレススティール製のものは、錆が生じないため、長期間使用することができる。さらに、支持棒は、適当な長さの柱状体を使用できるため、施工現場にある適当な廃材を切断して、支持棒として利用することも可能である。また、支持棒として、角柱状または円柱状のものを好ましく使用することができ、鉛直方向に起立する既存の柱も、支持棒として有効に利用することができる。このような柱には、たとえば、横枠に縦枠を接合して枠体を形成した後、枠体を設置する柱がある。家屋の開口部の周囲の壁を後から調製するような場合には、開口部に起立する柱を支持棒として好ましく使用することができる。
【００１８】
本発明の枠体の形成方法では、支持棒は、枠体を形成する位置の近傍に鉛直方向に配置する。支持棒は、家屋の壁面に立てかけることにより、枠体を形成する位置の近傍に配置しても、本発明の効果を得ることができる。しかし、施工精度を高める点で、図１に示すように、支持棒１を天井面３と床面４に固定する態様が好ましい。かかる態様は、つぎの構成により得ることができる。
【００１９】
たとえば、図１に示すように、支持棒１が、支持棒１の下端と当接する当接手段５を備え、当接手段５は、支持棒１の下部が上下移動自在に嵌合する嵌合部５ａと、支持棒１の下端が当接する可動楔５ｂとを有する。可動楔５ｂは、一方の楔面５ｂ１が水平に配置し、他方の楔面５ｂ２が支持棒１の下端に当接し、可動楔５ｂの峰部５ｂ４から、可動楔５ｂにおけるテーパ部の先端５ｂ３に向かって前進させてから、可動楔５ｂを固定する。図１には、固定台５１のネジ穴に、ボルト５２を装着した例を示す。図１に示す例では、ボルト５２を回転することにより、峰部５ｂ４からテーパ部の先端５ｂ３に向かって可動楔５ｂを前進させ、固定することができる。かかる操作により、支持棒１を鉛直方向に保った状態で、支持棒１を上方に移動することができるため、支持棒１により天井面３と床面４を適度の力で加圧し、支持棒１を固定することができる。
【００２０】
支持棒が、図１に示すように、内管１１と外管１２とを備える多重構造であり、内管１１が上下移動自在に外管１２に嵌合し、外管１２は、内管１１の外壁を圧接して内管１１と外管１２とを固定する内管固定部材１２ａを備える態様が好ましい。かかる態様の支持棒は、枠体の形成時には、外管１２の中から内管１１を引き出し、外管と内管を固定して使用するが、支持棒として使用しない時は、内管を外管に収納し、短くすることができるため、持ち運びが容易である。図１に示す例では、外管１２に、貫通するネジ穴を形成し、内管固定部材１２ａである摘みネジをネジ穴に装着し、摘みネジで内管１１の外壁を圧接することにより、内管１１と外管１２とを固定する。また、上述のように支持棒１を天井面３と床面４との間に固定するときは、最初に、固定台５１を床面４上に配置する。つぎに、当接手段５に嵌合する外管１２の中に収納している内管１１を引き出して、内管１１の上端が天井面３に接した状態で、内管固定部材１２ａにより内管１１と外管１２とを固定する。つぎに、可動楔５ｂにより、支持棒１を上昇すると、容易に支持棒１を天井面３と床面４との間に固定することができる。
【００２１】
図１に示すように、支持棒１が、内管１１と外管１２とを備え、外管が、内管の外壁を圧接して内管と外管とを固定する内管固定部材１２ａを備える場合、内管は、内管の外壁のうち、内管固定部材１２ａにより圧接される領域に溝部１１ｂを有する態様が好ましい。図３は、図１におけるＩＩＩ−ＩＩＩにより支持棒を切断したときの断面図である。図３に示すように、内管１１に溝部１１ｂを設けることにより、内管固定部材１２ａの圧接部１２ａ１が溝部１１ｂ内に挿入するため、内管１１と圧接部１２ａ１とがずれることがなくなり、内管の固定を容易にすることができる。また、図１に示すように、溝部１１ｂは、溝部の深さが、内管の上方に行くにつれて浅くなるようなテーパを有する態様が好ましい。溝部１１ｂが、かかるテーパを有することにより、内管固定部材１２ａを少し緩めたときに、内管１１が急激に落下するという問題を容易に解消することができる。
【産業上の利用可能性】
【００２２】
建具用枠体を、作業性と安全性の高い方法により形成することができる。
【符号の説明】
【００２３】
１  支持棒
２  支持手段
２ａ  支持棒固定部
２ｂ  横枠載置部
２ｃ  横枠固定部
２ｃ１  補助部材
２ｃ２  摘みネジ
３  天井面
４  床面
５  当接手段
５ａ  嵌合部
５ｂ  可動楔
５ｂ１，５ｂ２  楔面
１１  内管
１１ｂ  溝部
１２  外管
１２ａ  内管固定部材
２１  縦枠
２２  横枠
５１  固定台
【図１】
2012077540.tif 000003
【図２】
2012077540.tif 000004
【図３】
2012077540.tif 000005